【手続補正書】
【提出日】平成26年12月12日(2014.12.12)
【手続補正１】
【補正対象書類名】特許請求の範囲
【補正対象項目名】全文
【補正方法】変更
【補正の内容】
【特許請求の範囲】
【請求項１】
受信パケットに含まれる特徴情報である運用データおよび前記運用データから作成される冗長データについて、データ処理部の各々が他のデータ処理部が記憶する運用データおよび冗長データとはそれぞれ異なるグループの運用データおよび冗長データを記憶し、前記データ処理部の各々に記憶される前記運用データおよび前記冗長データは異なるグループである、という規則に従って複数グループの運用データおよび冗長データを記憶する複数のデータ処理部と、
前記複数のデータ処理部の中のいずれかのデータ処理部に対するデータ移行指示を検出する検出部と、
前記データ移行指示が検出された場合、前記データ処理部と前記データ処理部が記憶する運用データのグループとを対応付けた対応情報を参照することにより、前記いずれかのデータ処理部が記憶する運用データのグループを特定する第１の特定部と、
前記データ処理部と前記データ処理部が記憶する冗長データのグループとを対応付けたグループ情報を参照することにより、前記第１の特定部によって特定されたグループの冗長データを記憶するデータ処理部を特定する第２の特定部と、
前記第２の特定部によって特定されたデータ処理部の各々について、前記第１の特定部によって特定されたグループの冗長データを運用データに変更する変更部と、
前記変更部によって変更された運用データおよび前記いずれかのデータ処理部が記憶していた冗長データと同一グループの運用データからそれぞれ冗長データを作成し、前記規則に従うように前記いずれかのデータ処理部を除いた残余のデータ処理部に作成した前記冗長データを記憶させる構築部と、
を有することを特徴とする管理装置。
【請求項２】
前記構築部は、記憶する冗長データのグループ数が少ない前記データ処理部から順に作成した前記冗長データを記憶させることを特徴とする請求項１に記載の管理装置。
【請求項３】
前記構築部による構築結果にしたがって前記グループ情報を更新する更新部を有することを特徴とする請求項１に記載の管理装置。
【請求項４】
前記受信パケットの特徴情報に基づいて、前記受信パケットに関する運用データのグループを決定する決定部と、
前記対応情報を参照することにより、前記決定部によって決定された前記受信パケットに関する運用データのグループに対応するデータ処理部を特定する第３の特定部と、
前記第３の特定部によって特定されたデータ処理部に前記受信パケットを転送する転送部と、
を有することを特徴とする請求項１に記載の管理装置。
【請求項５】
前記変更部による変更結果にしたがって前記対応情報を更新する更新部を有することを特徴とする請求項１に記載の管理装置。
【請求項６】
前記グループ情報、前記検出部、前記第１の特定部、前記第２の特定部、および前記変更部は、前記複数のデータ処理部の各々が有することを特徴とする請求項１に記載の管理装置。
【請求項７】
前記特徴情報は、前記受信パケットのセッション情報であることを特徴とする請求項１に記載の管理装置。
【請求項８】
受信パケットに含まれる特徴情報である運用データおよび前記運用データから作成される冗長データについて、データ処理部の各々が他のデータ処理部が記憶する運用データおよび冗長データとはそれぞれ異なるグループの運用データおよび冗長データを記憶し、前記データ処理部の各々に記憶される前記運用データおよび前記冗長データは異なるグループである、という規則に従って複数グループの運用データおよび冗長データを記憶する複数のデータ処理部と、
データ処理部の追加を検出する検出部と、
前記検出部によって前記データ処理部の追加が検出された場合、グループ総数と追加されたデータ処理部を含むデータ処理部の総数とに基づいて、前記追加されたデータ処理部が記憶すべき運用データのグループ数および冗長データのグループ数を算出する算出部と、
前記複数のデータ処理部の中の少なくともいずれかが記憶する運用データおよび冗長データを前記追加されたデータ処理部へ移行し、前記算出部によって算出されたグループ数の運用データおよび冗長データを前記追加されたデータ処理部が記憶し、かつ、前記規則に従うように前記追加されたデータ処理部を含む複数のデータ処理部に運用データおよび冗長データを記憶させる構築部と、
を有することを特徴とする管理装置。
【請求項９】
前記複数のデータ処理部の各々と当該各データ処理部が記憶する複数の冗長データのグループとを対応付けたグループ情報を、前記構築部による構築結果にしたがって更新する更新部を有することを特徴とする請求項８に記載の管理装置。
【請求項１０】
前記受信パケットが保持する特徴情報に基づいて、前記受信パケットのグループを決定する決定部と、
前記グループと前記データ処理部とを対応付けた対応情報を参照することにより、前記決定部によって決定された前記受信パケットに関する運用データのグループに対応するデータ処理部を特定する特定部と、
前記特定部によって特定されたデータ処理部に前記受信パケットを転送する転送部と、
を有することを特徴とする請求項８または９に記載の管理装置。
【請求項１１】
前記構築部によって構築された場合、前記追加されたデータ処理部に移行された運用データのグループと、前記移行された運用データの移行元のデータ処理部および前記追加されたデータ処理部と、を対応付けることにより、前記対応情報を更新する更新部を有することを特徴とする請求項１０に記載の管理装置。
【請求項１２】
前記更新部は、前記対応情報の更新後所定時間経過後に、前記追加されたデータ処理部に移行された運用データのグループに対応付けられた前記移行元のデータ処理部を特定する情報を削除することにより、前記対応情報を更新することを特徴とする請求項１１に記載の管理装置。
【請求項１３】
前記検出部、前記算出部、および前記構築部は、前記複数のデータ処理部の各々が有することを特徴とする請求項８に記載の管理装置。
【請求項１４】
前記構築部は、記憶する運用データのグループ数が多い前記データ処理部から順に運用データを移行し、記憶する冗長データのグループ数が多い前記データ処理部から順に冗長データを移行することを特徴とする請求項８に記載の管理装置。
【請求項１５】
データ処理を実行する複数のデータ処理装置と前記複数のデータ処理装置を管理する制御装置とが通信可能に接続された管理システムであって、
前記複数のデータ処理装置の各々は、
受信パケットに含まれる特徴情報である運用データおよび前記運用データから作成される冗長データについて、データ処理装置の各々が他のデータ処理装置が記憶する運用データおよび冗長データとはそれぞれ異なるグループの運用データおよび冗長データを記憶し、前記データ処理装置の各々に記憶される前記運用データおよび前記冗長データは異なるグループである、という規則に従って複数グループの運用データおよび冗長データを記憶し、
前記制御装置は、
前記複数のデータ処理装置の中のいずれかのデータ処理装置に対するデータ移行指示を検出する検出部と、
前記データ移行指示が検出された場合、前記データ処理装置と前記データ処理装置が記憶する運用データのグループとを対応付けた対応情報を参照することにより、前記いずれかのデータ処理装置が記憶する複数の運用データのグループを特定する第１の特定部と、
前記データ処理装置と前記データ処理装置が記憶する冗長データのグループとを対応付けたグループ情報を参照することにより、前記第１の特定部によって特定されたグループの冗長データを記憶するデータ処理装置を特定する第２の特定部と、
前記第２の特定部によって特定されたデータ処理装置の各々について、前記第１の特定部によって特定されたグループの冗長データを運用データに変更する変更部と、
前記変更部によって変更された運用データおよび前記いずれかのデータ処理装置が記憶していた冗長データと同一グループの運用データからそれぞれ冗長データを作成し、前記規則に従うように前記いずれかのデータ処理装置を除いた残余のデータ処理装置に作成した前記冗長データを記憶させる構築部と、
を有することを特徴とする管理システム。
【請求項１６】
データ処理を実行する複数のデータ処理装置と前記複数のデータ処理装置を管理する制御装置とが通信可能に接続された管理システムであって、
前記複数のデータ処理装置の各々は、
受信パケットに含まれる特徴情報である運用データおよび前記運用データから作成される冗長データについて、データ処理部の各々が他のデータ処理部が記憶する運用データおよび冗長データとはそれぞれ異なるグループの運用データおよび冗長データを記憶し、前記データ処理部の各々に記憶される前記運用データおよび前記冗長データは異なるグループである、という規則に従って複数グループの運用データおよび冗長データを記憶し、
前記制御装置は、
前記データ処理装置の追加を検出する検出部と、
前記検出部によって前記データ処理装置の追加が検出された場合、グループ総数と追加されたデータ処理装置を含むデータ処理装置の総数とに基づいて、前記追加されたデータ処理装置が記憶すべき運用データのグループ数および冗長データのグループ数を算出する算出部と、
前記複数のデータ処理装置の中の少なくともいずれかが記憶する運用データおよび冗長データを前記追加されたデータ処理装置へ移行し、前記算出部によって算出されたグループ数の運用データおよび冗長データを前記追加されたデータ処理装置が記憶し、かつ、前記規則に従うように前記追加されたデータ処理装置を含む複数のデータ処理装置に運用データおよび冗長データを記憶させる構築部と、
を有することを特徴とする管理システム。
【請求項１７】
受信パケットに含まれる特徴情報である運用データおよび前記運用データから作成される冗長データについて、データ処理部の各々が他のデータ処理部が記憶する運用データおよび冗長データとはそれぞれ異なるグループの運用データおよび冗長データを記憶し、前記データ処理部の各々に記憶される前記運用データおよび前記冗長データは異なるグループである、という規則に従って複数グループの運用データおよび冗長データを記憶する複数のデータ処理部を備える装置のデータ管理方法であって、
前記複数のデータ処理部の中のいずれかのデータ処理部に対するデータ移行指示を検出し、
前記データ移行指示が検出された場合、前記データ処理部と前記データ処理部が記憶する運用データのグループとを対応付けた対応情報を参照することにより、前記いずれかのデータ処理部が記憶する運用データのグループを特定し、
前記データ処理部と前記データ処理部が記憶する冗長データのグループとを対応付けたグループ情報を参照することにより、特定された前記グループの冗長データを記憶するデータ処理部を特定し、
特定された前記データ処理部の各々について、特定された前記グループの冗長データを運用データに変更し、
変更された前記運用データおよび前記いずれかのデータ処理部が記憶していた冗長データと同一グループの運用データからそれぞれ冗長データを作成し、前記規則に従うように前記いずれかのデータ処理部を除いた残余のデータ処理部に作成した前記冗長データを記憶させる、
ことを特徴とするデータ管理方法。
【請求項１８】
受信パケットに含まれる特徴情報である運用データおよび前記運用データから作成される冗長データについて、データ処理部の各々が他のデータ処理部が記憶する運用データおよび冗長データとはそれぞれ異なるグループの運用データおよび冗長データを記憶し、前記データ処理部の各々に記憶される前記運用データおよび前記冗長データは異なるグループである、という規則に従って複数グループの運用データおよび冗長データを記憶する複数のデータ処理部を備える装置のデータ管理方法であって、
前記データ処理部の追加を検出し、
前記データ処理部の追加が検出された場合、グループ総数と追加されたデータ処理部を含むデータ処理部の総数とに基づいて、前記追加されたデータ処理部が記憶すべき運用データのグループ数および冗長データのグループ数を算出し、
前記複数のデータ処理部の中の少なくともいずれかが記憶する運用データおよび冗長データを前記追加されたデータ処理部へ移行し、前記算出部によって算出されたグループ数の運用データおよび冗長データを前記追加されたデータ処理部が記憶し、かつ、前記規則に従うように前記追加されたデータ処理部を含む複数のデータ処理部に運用データおよび冗長データを記憶させる、
ことを特徴とするデータ管理方法。
【手続補正２】
【補正対象書類名】明細書
【補正対象項目名】発明の名称
【補正方法】変更
【補正の内容】
【発明の名称】管理装置、管理システム、および管理方法
【手続補正３】
【補正対象書類名】明細書
【補正対象項目名】００１０
【補正方法】変更
【補正の内容】
【００１０】
本願において開示される発明の一側面である管理装置は、受信パケットに含まれる特徴情報である運用データおよび前記運用データから作成される冗長データについて、データ処理部の各々が他のデータ処理部が記憶する運用データおよび冗長データとはそれぞれ異なるグループの運用データおよび冗長データを記憶し、前記データ処理部の各々に記憶される前記運用データおよび前記冗長データは異なるグループである、という規則に従って複数グループの運用データおよび冗長データを記憶する複数のデータ処理部と、前記複数のデータ処理部の中のいずれかのデータ処理部に対するデータ移行指示を検出する検出部と、前記データ移行指示が検出された場合、前記データ処理部と前記データ処理部が記憶する運用データのグループとを対応付けた対応情報を参照することにより、前記いずれかのデータ処理部が記憶する運用データのグループを特定する第１の特定部と、前記データ処理部と前記データ処理部が記憶する冗長データのグループとを対応付けたグループ情報を参照することにより、前記第１の特定部によって特定されたグループの冗長データを記憶するデータ処理部を特定する第２の特定部と、前記第２の特定部によって特定されたデータ処理部の各々について、前記第１の特定部によって特定されたグループの冗長データを運用データに変更する変更部と、前記変更部によって変更された運用データおよび前記いずれかのデータ処理部が記憶していた冗長データと同一グループの運用データからそれぞれ冗長データを作成し、前記規則に従うように前記いずれかのデータ処理部を除いた残余のデータ処理部に作成した前記冗長データを記憶させる構築部と、を有する。